(57)【要約】      （修正有）【課題】ビジネスホテル等の画一的なホテル構造において、身体障害者用ルーム区域を組み込む。【解決手段】廊下側壁２と窓側壁４との間にシングルルーム区域６を列設したホテル構造において、列設された複数のシングルルーム区域６に、シングルルーム区域の間隔幅の２倍の身体障害者用ルーム区域11を組み込み、身体障害者用ルーム区域11の廊下側壁２の一端に入口部12を設け、入口部12から窓側壁４に向けて車椅子13の回転幅の第一通路14を形成し、第一通路14に沿って浴室区画15とベッド区画16を設け、ベッド区画16には第一通路側にセミダブルベッド22、その奥にシングルベッド23を配置し、浴室区画16には、最奥部に浴槽17を設けるとともに、浴槽17に向けて車椅子13の回転幅の第二通路19を形成し、第二通路19に沿って洗面台20乃至便器21を設けたホテル構造。【選択図】図２
0003124759.tif 000002
【実用新案登録請求の範囲】
【請求項１】
廊下側壁と窓側壁との間に複数のシングルルーム区域を列設したホテル構造において、列設された複数のシングルルーム区域に、シングルルーム区域の間隔幅の２倍の身体障害者用ルーム区域を組み込んだことを特徴とするホテル構造。
【請求項２】
身体障害者用ルーム区域の廊下側壁の一端に入口部を設け、該入口部から窓側壁に向けて車椅子の回転幅の第一通路を形成し、該第一通路に沿って浴室区画とベッド区画を設けた請求項１記載のホテル構造。
【請求項３】
ベッド区画には第一通路側にセミダブルベッド、その奥にシングルベッドを配置した請求項２記載のホテル構造。
【請求項４】
浴室区画には、最奥部に浴槽を設けるとともに、該浴槽に向けて車椅子の回転幅の第二通路を形成し、該第二通路に沿って洗面台乃至便器を設けた請求項２記載のホテル構造。
【考案の詳細な説明】
【技術分野】
【０００１】
この考案は、例えばビジネスホテル等において身体障害者用ルーム区域を設けたホテル構造に関するものである。
【背景技術】
【０００２】
近年自治体等においてはハートビル法に基づきホテル等の宿泊設備に身体障害者用ルームを設けることを義務付ける傾向にある。
【０００３】
一般に、身体障害者用ルームとしては、入口部から車椅子の回転幅の通路を形成し、ベッド区画には該通路側に１台のベッドとその奥に他の１台のベッドを並設し、これら２台のベッド何れも利用できるように、上記通路からはこれらベッド端部に回り込める車椅子の回転幅の通路を形成したものが知られている。
【非特許文献１】「高齢者・身体障害者等の利用を配慮した建築設計標準」平成１５年２月  人にやさしい建築・住宅推進協議会発行
【考案の開示】
【考案が解決しようとする課題】
【０００４】
一方、ビジネスホテル等においては例えば図３に示すように、廊下１を挟んで一方の廊下側壁２と窓側壁４の間にはシングルルーム区域６，…が列設形成され、他方の廊下側壁３と他方の窓側壁５の間にはツインルーム区域７、ダブルルーム区域８が列設形成されるようなど画一的なホテル構造のものが多く、このようなホテル構造においては上述のように２台の並設されるベッドの端部に回り込める車椅子の回転幅の通路を形成する身体障害者用ルームを組み込むことは極めて困難である。
【０００５】
そこで、この考案はビジネスホテル等の画一的なホテル構造においても、身体障害者用ルーム区域を組み込むことを課題とするものである。
【課題を解決するための手段】
【０００６】
この考案は、上記実情に鑑み、廊下側壁と窓側壁との間に複数のシングルルーム区域を列設したホテル構造において、列設された複数のシングルルーム区域に、シングルルーム区域の間隔幅の２倍の身体障害者用ルーム区域を組み込んだホテル構造を提案するものである。
【考案の効果】
【０００７】
即ち、この考案においては身体障害者用ルーム区域の間隔幅を廊下側壁と窓側壁との間に列設されたシングルルーム区域間隔の２倍とすることによりビジネスホテル等の画一されたホテル構造に身体障害者用ルーム区域を容易に組み込むことができる。
【０００８】
また、身体障害者用ルームの構造は出来るだけコンパクトにするため、身体障害者用ルーム区域の廊下側壁の一端に入口部を設け、該入口部から窓側壁に向けて車椅子の回転幅の第一通路を形成し、該第一通路に沿って浴室区画とベッド区画を設ける。
【０００９】
更に、浴室区画には、最奥部に浴槽を設けるとともに、該浴槽に向けて車椅子の回転幅の第二通路を形成し、該第二通路に沿って洗面台乃至便器を設ける。
【００１０】
一方、ベッド区画には第一通路側にセミダブルベッド、その奥にシングルベッドを配置し、各ベッドの端部には車椅子による回り込み通路を形成することなく、身体障害者は第一通路側のセミダブルベッドを、介護者は奥のシングルベッドを利用する。
【考案を実施するための最良の形態】
【００１１】
廊下側壁と窓側壁との間に複数のシングルルーム区域を列設したホテル構造において、列設された複数のシングルルーム区域に、シングルルーム区域の間隔幅の２倍の身体障害者用ルーム区域を組み込み、身体障害者用ルーム区域の廊下側壁の一端に入口部を設け、該入口部から窓側壁に向けて車椅子の回転幅の第一通路を形成し、該第一通路に沿って浴室区画とベッド区画を設け、ベッド区画には第一通路側にセミダブルベッド、その奥にシングルベッドを配置し、浴室区画には、最奥部に浴槽を設けるとともに、該浴槽に向けて車椅子の回転幅の第二通路を形成し、該第二通路に沿って洗面台乃至便器を設けたホテル構造。
【実施例１】
【００１２】
以下、この考案を図示の実施例に基づいて詳細に説明すると、図１はこの考案に係わるホテル構造において所定階のフロアーを示すものであり、１は廊下、２は一方の廊下側壁、３は他方の廊下側壁、４は一方の窓側壁、５は他方の窓側壁であり、一方の廊下側壁２と窓側壁４との間にはシングルルーム区域６，…が列設形成され、他方の廊下側壁３と窓側壁５との間にはツインルーム区域７、ダブルルーム区域８が列設形成される。
【００１３】
この考案においては、シングルルーム区域６，…が列設される区域にはシングルルーム区域６の間隔９に対して２倍の幅間隔10を有する身体障害者用ルーム区域11が組み込まれる。
【００１４】
そして、身体障害者用ルーム11の廊下側壁２の一端には入口部12が設けられ、入口部12から窓側壁４に向けて車椅子13の回転幅の第一通路14が形成され、第一通路14に沿って入口部12から浴室区画15とベッド区画16が設けられる。
【００１５】
浴室区画15には最奥部に浴槽17を設け、入口部18より浴槽17に向けて車椅子13の回転幅の第二通路19が形成され、第二通路19に沿って洗面台20、便器21が形成される。
【００１６】
一方、ベッド区画16には第一通路14側に身体障害者の利用するセミダブルベッド22、その奥に介護者の利用するシングルベッド23を配置され、セミダブルベッド22とシングルベッド23の端部には人が通れる程度の幅の通路24が形成される。
【００１７】
以上の構成において、身体障害者用ルーム区域11の間隔10を列設されたシングルルーム区域６の間隔９の２倍の幅とすることによりビジネスホテル等の画一されたホテル構造に身体障害者用ルーム区域11を容易に組み込むことができる。
【００１８】
また、身体障害者用ルーム区域11内には入口部12から窓側壁４に向けて車椅子13の回転幅の第一通路14を形成し、第一通路14に沿って浴室区画15とベッド区画16を設け、更に、浴室区画16には、最奥部に浴槽17を設けるとともに、浴槽17に向けて車椅子13の回転幅の第二通路19を形成し、第二通路19に沿って洗面台20乃至便器21を設けることによりホテル構造に容易に組み込むことができるコンパクトな身体障害者用ルーム11を形成することができる。
【００１９】
更に、ベッド区画16には第一通路14側にセミダブルベッド22、その奥にシングルベッド23を配置され、セミダブルベッド22とシングルベッド23の端部には人が通れる程度の幅の通路24が形成されるだけで、車椅子13による回り込み通路が形成されていないため、ホテル構造に容易に組み込むことができるコンパクトな身体障害者用ルーム11を形成することができる。
【産業上の利用可能性】
【００２０】
以上要するに、この考案によれば画一的な構造の例えばビジネスホテル等において身体障害者用ルーム区域を容易に組み込むことができる。
【図面の簡単な説明】
【００２１】
【図１】この考案に係わるビジネスホテル等のホテル構造において所定階のフロアーを示す図
【図２】同上の身体障害者用ルーム区域の拡大図
【図３】従来のビジネスホテル等のホテル構造において所定階のフロアーを示す図
【符号の説明】
【００２２】
１は廊下
２は一方の廊下側壁
３は他方の廊下側壁
４は一方の窓側壁
５は他方の窓側壁
６，…はシングルルーム区域
７はツインルーム区域
８はダブルルーム区域
９はシングルルーム区域の間隔
11は身体障害者用ルーム区域
10は身体障害者用ルーム区域の間隔
12は身体障害者用ルームの入口部
13は車椅子
14は第一通路
15は浴室区画
16はベッド区画
17は浴槽
18は浴室区画の入口部
19は第二通路
20は洗面台
21は便器
22はセミダブルベッド
23はシングルベッド
24は人が通れる程度の幅の通路
【図１】
0003124759.tif 000003
【図２】
0003124759.tif 000004
【図３】
0003124759.tif 000005